(57)【要約】【課題】記録用紙の先端が大きくカールした場合等であっても、この先端を、リアローラ側に正確に案内することができること。【解決手段】フロントローラＦＲとリアローラＲＲとの間にプラテン４９、及びこれに対向した記録ヘッド１２を有し、この記録ヘッド１２のリアローラ側には横並びに用紙検出センサ３５を備え、リアローラ側には先端部２９Ａが記録ヘッド側に延出して、当該記録ヘッド１２を通過した、記録用紙及び複写紙を含む記録用紙の先端を、リアローラＲＲに案内する案内部材２９を備え、案内部材２９の先端部２９Ａを、用紙搬送方向と直交する面内で、用紙検出センサ３５とオーバーラップさせた。【選択図】      図２
2004330515.tif 000002
【特許請求の範囲】
【請求項１】
記録用紙を搬送するフロントローラとリアローラとの間に前記記録用紙を支持するプラテン、及びこれに対向した記録ヘッドを有し、この記録ヘッドのリアローラ側には横並びに前記記録用紙が挿入されたかを検出する用紙検出センサを備え、前記リアローラの近傍には先端部が記録ヘッド側に延出して、当該記録ヘッドを通過した、通帳及び複写紙を含む記録用紙の先端を、リアローラに案内する案内部材を備えた記録装置において、前記案内部材の先端部を、用紙搬送方向と直交する面内で、前記用紙検出センサとオーバーラップさせたことを特徴とする記録装置。
【請求項２】
前記用紙検出センサが、前記記録ヘッド、或いは当該記録ヘッドを支持するキャリッジに固定されていることを特徴とする請求項１記載の記録装置。
【請求項３】
前記キャリッジを走査させる場合、前記用紙検出センサが、前記案内部材の先端部と記録用紙との間を移動することを特徴とする請求項２記載の記録装置。
【請求項４】
前記用紙検出センサが、記録ヘッド、或いは記録ヘッドを支持するキャリッジに片持ち支持され、この片持ち支持により形成された空所内に、前記案内部材の先端部を延出させて、この先端部を用紙搬送方向と直交する面内で、前記用紙検出センサとオーバーラップさせたことを特徴とする請求項１記載の記録装置。
【請求項５】
前記記録ヘッドを記録用紙挿入領域から外れた位置に退避させておき、この状態で記録用紙を挿入することを特徴とする請求項１乃至４のいずれか一項記載の記録装置。
【請求項６】
複数の記録ワイヤと横並びに用紙検出センサを備え、この用紙検出センサが、記録ヘッドに片持ち支持され、この片持ち支持により形成された空所内に、当該記録ヘッドを通過した、通帳及び複写紙を含む記録用紙の先端をリアローラに案内する案内部材の先端部を、延出可能としたことを特徴とする記録ヘッド。
【発明の詳細な説明】
【０００１】
【発明の属する技術分野】
本発明は、フロントローラとリアローラとの間にプラテン、及びこれに対向した記録ヘッドを有し、この記録ヘッドと横並びに用紙検出センサを備えた記録装置及び記録ヘッドに関する。
【０００２】
【従来の技術】
図６は、従来の記録装置を示す（特許文献１）。この記録装置は、いわゆるパスブック型のドットインパクトプリンタであり、磁気ヘッド１００が磁気記録媒体（例えば磁気ストライプ）に磁気情報を記録し再生する磁気記録再生装置１０１を有し、また、記録ワイヤの突出動作によって記録ヘッド１０２が、上記磁気ストライプを備えた画像記録媒体（例えば通帳等の記録用紙）に文字等を含む画像を記録する。より詳細には、フロントローラ１０３とリアローラ１０４との間にプラテン１０５、及びこれに対向した上記記録ヘッド１０２を有し、この記録ヘッド１０２のリアローラ１０４側には横並びに用紙検出センサ１０６を備え、リアローラ１０４側には、先端部１０７Ａが記録ヘッド１０２側に延出して、当該記録ヘッド１０２を通過した、通帳及び複写紙を含む記録用紙の先端を、リアローラ１０４に案内する案内部材１０７を備えて構成される。
【０００３】
このようなプリンタは主に金融機関等で使用されており、通帳の他、一枚紙や複写紙等に対しても画像を記録することができる。
【０００４】
ところで、このドットインパクトプリンタを用いて、例えば、通帳の見開き頁間に跨って画像を記録する場合等、記録ヘッド１０２は、見開き頁間の段差を乗り越えて走査される。この段差間の乗り移りを円滑にするため、従来、通帳（以下、記録用紙という。）上を転動する転動ローラ１０８が記録ヘッド１０２に設けられる。この構成のプリンタでは、記録用紙を挿入する場合、まず、記録ヘッド１０２を支持するキャリッジ１０９を走査して、記録ヘッド１０２を記録用紙挿入領域から外れた位置に退避させておき、所定の位置まで記録用紙が挿入された後、当該キャリッジ１０９を走査して、記録ヘッド１０２による画像の記録を開始する手順が一般的である。
【０００５】
【特許文献１】
特開平６−２９７７９８号公報
【０００６】
【発明が解決しようとする課題】
しかし、従来のように、記録ヘッドを記録用紙挿入領域から外れた位置に退避させておいて、記録用紙を挿入するとなると、図７に示すように、その挿入領域Ｘには記録ヘッド１０２がないわけであるから、フロントローラ１０３を乗り越えた記録用紙の先端Ａを、リアローラ１０４側に案内することが困難になる。従来の案内部材１０７は、記録ヘッド１０２、及びこれと横並びに設けられた用紙検出センサ１０６の下流側に配置されるため、この案内部材１０７の先端部１０７Ａは、記録ヘッド１０２からかなり離れた位置にある。
【０００７】
図７に示すように、記録用紙の先端Ａが大きくカールした場合等、この先端Ａを、リアローラ１０４側に正確に案内するとなると、図８に示すように、案内部材１０７の先端部１０７Ａの高さＨは、可能な限り高い方がよく、記録ヘッド１０２から離れる距離Ｌは、可能な限り小さい方がよい。
【０００８】
本発明の目的は、上述の事情を考慮してなされたものであり、記録用紙の先端が大きくカールした場合等であっても、この先端を、リアローラ側に正確に案内することができる記録装置及び記録ヘッドを提供することにある。
【０００９】
【課題を解決するための手段】
請求項１記載の発明は、記録用紙を搬送するフロントローラとリアローラとの間に前記記録用紙を支持するプラテン、及びこれに対向した記録ヘッドを有し、この記録ヘッドのリアローラ側には横並びに前記記録用紙が挿入されたかを検出する用紙検出センサを備え、前記リアローラの近傍には先端部が記録ヘッド側に延出して、当該記録ヘッドを通過した、通帳及び複写紙を含む記録用紙の先端を、リアローラに案内する案内部材を備えた記録装置において、前記案内部材の先端部を、用紙搬送方向と直交する面内で、前記用紙検出センサとオーバーラップさせたことを特徴とするものである。
【００１０】
請求項２記載の発明は、請求項１記載のものにおいて、前記用紙検出センサが、前記記録ヘッド、或いは当該記録ヘッドを支持するキャリッジに固定されていることを特徴とするものである。
【００１１】
請求項３記載の発明は、請求項２記載のものにおいて、前記キャリッジを走査させる場合、前記用紙検出センサが、前記案内部材の先端部と記録用紙との間を移動することを特徴とするものである。
【００１２】
請求項４記載の発明は、請求項１記載のものにおいて、前記用紙検出センサが、記録ヘッド、或いは記録ヘッドを支持するキャリッジに片持ち支持され、この片持ち支持により形成された空所内に、前記案内部材の先端部を延出させて、この先端部を用紙搬送方向と直交する面内で、前記用紙検出センサとオーバーラップさせたことを特徴とするものである。
【００１３】
請求項５記載の発明は、請求項１乃至４のいずれか一項記載のものにおいて、前記記録ヘッドを記録用紙挿入領域から外れた位置に退避させておき、この状態で記録用紙を挿入することを特徴とする。
【００１４】
請求項６記載の発明は、複数の記録ワイヤと横並びに用紙検出センサを備え、この用紙検出センサが、記録ヘッドに片持ち支持され、この片持ち支持により形成された空所内に、当該記録ヘッドを通過した、通帳及び複写紙を含む記録用紙の先端をリアローラに案内する案内部材の先端部を、延出可能としたことを特徴とするものである。
【００１５】
【発明の実施の形態】
以下、本発明の実施の形態を、図面に基づき説明する。
【００１６】
図１は、磁気記録再生装置を備えたパスブック型のドットインパクトプリンタを示す全体斜視図、図２は、図１のプリンタを示す側断面図である。
【００１７】
これらの図１及び図２に示す記録装置としてのプリンタ１０は、記録ヘッド１２（図２）の多数の記録ワイヤを、インクリボン（図示せず）を介して画像記録用紙に打ち付けてドットを記録することにより、文字を含む画像を記録するパスブック型のドットインパクトプリンタであり、磁気記録再生装置１１を一体に装備している。上記画像記録用紙は、通常、金融機関等で使用されている通帳や複写紙、一枚紙等であり、この通帳に貼着された磁気記録用紙としての磁気ストライプに、上記磁気記録再生装置１１が磁気情報を記録し、または、この記録された磁気情報を読み取って再生する。
【００１８】
プリンタ１０は、図１及び図２に示すように、左サイドフレーム１３、右サイドフレーム１４及びベースフレームを備えた本体フレームに、キャリッジ１５、上記記録ヘッド１２、搬送装置（フロントローラ、リアローラ）、上記磁気記録再生装置１１、及び制御装置としての制御基板部を有して構成される。
【００１９】
上記搬送装置は、図２に示すように、フロントローラＦＲ、リアローラＲＲからなり、フロントローラＦＲは、上下一対の駆動ローラ１７Ａ及び従動ローラ１８Ａで構成され、リアローラＲＲは、同じく上下一対の駆動ローラ１７Ｂ及び従動ローラ１８Ｂで構成され、これらは記録ヘッド１２の上流側と下流側に一組づつ配置され、これら二組の駆動ローラ１７及び従動ローラ１８が、搬送案内１９に載置された記録用紙等を挟持して、この記録用紙等を副走査方向（矢印Ａ方向）に搬送する。なお、従動ローラ１８は、駆動ローラ１７と同様に駆動ローラであってもよい。
【００２０】
リアローラＲＲの従動ローラ１８Ｂ側には、先端部２９Ａが記録ヘッド１２側に延出して、当該記録ヘッド１２を通過した、通帳及び複写紙を含む記録用紙の先端を、リアローラＲＲに案内する案内部材２９が設けられる。
【００２１】
上記キャリッジ１５は記録ヘッド１２を搭載し、この記録ヘッド１２を、プラテン４９に沿って主走査方向（矢印Ａと直交する方向）右向きまたは左向きに走行させる。この主走査方向は、搬送装置による記録用紙等の搬送方向（副走査方向）と直交する方向である。
【００２２】
上記プラテン４９は、付勢ばね（図示せず）を用いて、記録ヘッド１２に対し接離する方向に移動自在に弾性支持される。これにより、記録ヘッド１２とプラテン４９との間に厚さの異なる通帳等が搬送された時に、プラテン４９が通帳等の厚さ方向で、記録ヘッド１２から離れる向きに移動して、記録ヘッド１２と記録用紙等の表面（印字面）との間に一定のプラテンギャップが確保される。
【００２３】
上記記録ヘッド１２は多数の記録ワイヤ（図示せず）を備え、これらの記録ワイヤの突出方向前方で、記録ヘッド１２とプラテン４９との間にインクリボン（図示せず）が位置する。この記録ヘッド１２は、キャリッジと共に主走査方向に走行する間に、記録ワイヤを突出させてインクリボンに打ち当て、このインクリボンのインクを、記録ヘッド１２の下方に位置する記録用紙等に付着させて、この記録用紙等に文字を含む画像を記録する。
【００２４】
ところで、このドットインパクトプリンタ１０を用いて、例えば、通帳の見開き頁間に跨って画像を記録する場合がある。この場合、通帳は、見開いた状態で、例えば、通帳先端側からドットインパクトプリンタ１０に対し、矢印Ａ方向（図２）に挿入される。そして、通帳の見開き頁間に跨って画像を記録する場合、記録ヘッド１２は、見開き頁間の段差を乗り越えて走査される。この段差間の乗り移りを円滑にするため、通帳上を転動する転動ローラ３１が記録ヘッド１２に設けられている。この構成のプリンタでは、通帳等の記録用紙を挿入する場合、当該記録用紙のジャムリを防止するため、まず、記録ヘッド１２を支持するキャリッジ１５を走査して、記録ヘッド１２を記録用紙挿入領域から外れた位置に退避させておき、所定の位置まで記録用紙が挿入された後、当該キャリッジ１５を走査して、記録ヘッド１２による画像の記録を開始する。４５は記録用紙を整列させるシャッターである。
【００２５】
所定の位置まで記録用紙が挿入される場合、この記録用紙は、図２に示すフィルム３３を押し退けるようにして挿入される。従って、所定の位置では、記録用紙の上に当該フィルム３３が乗り、このフィルム３３の上を、段差間の乗り移りを円滑にするための、上述した転動ローラ３１が転動する。これによれば、転動ローラ３１は、フィルム３３を介して記録用紙の記帳面に接触するため、当該記録用紙の記帳面が凹んだり、或いは汚れることがない。
【００２６】
図３は、キャリッジ１５に搭載された記録ヘッド１２を示す断面図である。この記録ヘッド１２のリアローラ１７Ｂ側には、ノーズ１２Ａと横並びに反射光により記録用紙の端を検出する用紙検出センサ３５が設けられている。
【００２７】
図４Ａは記録ヘッド１２をノーズ１２Ａ側から見て示す斜視図、図４Ｂは図４ＡのＢ−Ｂ断面図、図４Ｃは図４ＡのＣ−Ｃ断面図である。
【００２８】
この用紙検出センサ３５は、図４Ａ〜図４Ｃに示すように、記録ヘッド１２から一体的に延びる支持部１２Ｂに対し、いわゆる片持ち式に支持されており、この用紙検出センサ３５の上面（図４Ａでは上下が反転している。）３５Ａと、キャリッジ１５の下面（図４Ａでは上下が反転している。）１５Ａとの間には、適当な大きさの空所３７が形成されている。
【００２９】
この空所３７内には、図３に示すように、上述した案内部材２９の先端部２９Ａが延出し、この案内部材２９の先端部２９Ａは、用紙搬送方向と直交する面内で、用紙検出センサ３５とオーバーラップしている。
【００３０】
つぎに、実施形態の動作を説明する。
【００３１】
このプリンタ１０では、上述したように、記録用紙を挿入する場合、まず、記録ヘッド１２を支持するキャリッジ１５を走査して、記録ヘッド１２を記録用紙挿入領域から外れた位置に退避させる。この退避した状態では、図５に示すように、その挿入領域Ｘに記録ヘッド１２が存在しない。
【００３２】
ついで、プリンタ１０に記録用紙を挿入する。この場合、記録用紙は、フロントローラＦＲを介して搬送されるが、この記録用紙の先端Ａは、一般にカールしている場合があり、このカールが大きくなると、記録用紙の先端Ａが、案内部材２９の先端部２９Ａに届かないで、それを乗り越える恐れがある。
【００３３】
本実施形態では、用紙検出センサ３５の上面３５Ａと、キャリッジ１５の下面１５Ａとの間に空所３７が形成され、この空所３７内に、上述した案内部材２９の先端部２９Ａが延出されている。すなわち、この案内部材２９の先端部２９Ａは、用紙搬送方向と直交する面内で、用紙検出センサ３５とオーバーラップするほどに大きく延出されている。このため、図５において、先端部２９Ａの高さＨを、従来のもの（図８）と比較して高く設定でき、記録ヘッド１２から離れる距離Ｌを、従来のもの（図８）と比較して小さく設定できるため、かなり大きなカールをした通帳等の記録用紙であっても、図５に示すように、記録用紙の先端Ａを確実に捉えて、リアローラＲＲにほぼ正確に案内することができる。
【００３４】
つぎに、所定の位置まで記録用紙が挿入された場合、キャリッジ１５が走査されて、記録ヘッド１２による画像の記録が開始される。この場合、この記録用紙の上にはフィルム３３が乗り、このフィルム３３の上を、段差間の乗り移りを円滑にするための、上述した転動ローラ３１が転動する。このキャリッジ１５の走査の過程で、用紙検出センサ３５は、当該センサ３５に対向する記録用紙の端を検出するために、案内部材２９の先端部２９Ａの記録用紙側、すなわち、案内部材２９の先端部２９Ａと記録用紙との間を移動する。
【００３５】
別の実施形態として、案内部材２９の先端部２９Ａを、透明材料製の部材で形成すれば、用紙検出センサ３５の位置を、図３中で上方にずらし、この位置をずらした用紙検出センサ３５の下方に、用紙搬送方向と直交する面内で、用紙検出センサ３５とオーバーラップするように、案内部材２９の先端部２９Ａを延出させることは可能である。この場合、用紙検出センサ３５は、透明材料製の部材を介して反射する光を受光して、記録用紙を検出する。
【００３６】
以上、本発明を上記実施の形態に基づいて説明したが、本発明はこれに限定されるものではない。例えば、用紙検出センサ３５は、記録ヘッド１２に固定されていたが、これに限定されず、当該記録ヘッド１２を支持するキャリッジ１５に固定する構成としてもよい。また、パスブック型ドットインパクトプリンタに限定されず、一般の記録装置に適用可能なことは云うまでもない。
【００３７】
【発明の効果】
本発明によれば、記録用紙の先端が大きくカールした場合であっても、この先端を、リアローラ側に正確に案内することができる。
【図面の簡単な説明】
【図１】本発明の一実施形態に係る、磁気記録再生装置を備えたパスブック型ドットインパクトプリンタを示す全体斜視図である。
【図２】図１のプリンタを示す側断面図である。
【図３】記録ヘッドを搭載したキャリッジを示す断面図である。
【図４】Ａは本実施形態に係る記録ヘッドを示す斜視図、ＢはＡのＢ−Ｂ断面図、ＣはＡのＣ−Ｃ断面図である。
【図５】カールした記録用紙を案内部材によって案内する手順を説明するための、フロントローラ、リアローラを示す断面図である。
【図６】従来のパスブック型ドットインパクトプリンタを示す全体斜視図である。
【図７】従来の図５相当図である。
【図８】同じく従来の図５相当図である。
【符号の説明】
１０  プリンタ（記録装置）
１１  磁気記録再生装置
１２  記録ヘッド
２９  案内部材
２９Ａ  先端部
３３  フィルム
３１  転動ローラ
３５  用紙検出センサ
３７  空所
４９  プラテン
ＦＲ  フロントローラ
ＲＲ  リアローラ
【図１】
2004330515.tif 000003
【図２】
2004330515.tif 000004
【図３】
2004330515.tif 000005
【図４】
2004330515.tif 000006
【図５】
2004330515.tif 000007
【図６】
2004330515.tif 000008
【図７】
2004330515.tif 000009
【図８】
2004330515.tif 000010